(57)【要約】【課題】ケーブルを保持するケーブルグランドにおいてグランド本体及びロックナットの緩みを防止する。【解決手段】グランド本体２の取付部２３に嵌め込まれ、電気機器等の壁体１００とロックナット６との間に配置されるワッシャ７を設け、そのワッシャ７に第１舌片７１と第２舌片７２とを設けている。そして、グランド本体２を壁体１００に取り付けた状態で、ワッシャ７の第１舌片７１がグランド本体２の回止め溝２３ｂに嵌り込むとともに、ワッシャ７の第２舌片７２が壁体の切欠き１０２に嵌り込む構造としている。このような構造により、グランド本体が回転しようとしても、第１舌片７１が回止め溝２３ｂに係止し、第２舌片７２が切欠き１０２に係止することにより、グランド本体２の回転が規制される。これによってグランド本体２及びロックナット６が緩むことを防止することができる。【選択図】図１
2017225255.tif 000002
【特許請求の範囲】
【請求項１】
ケーブルの挿通が可能な筒状の部材であって、鍔部とその鍔部を挟んだ両側にそれぞれ設けられた円筒形状のケーブル保持部及び取付部とを有し、それらケーブル保持部及び取付部の外周面にそれぞれ雄ねじが形成されたグランド本体と、
前記ケーブルを通す挿通孔を有し、前記ケーブル保持部に嵌め込まれるスリーブと、
前記ケーブル保持部の雄ねじに噛み合う雌ねじが形成されたキャップと、
前記取付部の雄ねじに噛み合う雌ねじが形成されたロックナットと、を備え、
前記グランド本体の取付部を、当該ケーブルグランドを取り付ける壁体に形成された取付孔に差し込んだ状態で、その取付部に前記ロックナットをねじ込むことにより前記グランド本体を前記壁体に取り付け、前記グランド本体のケーブル保持部に前記スリーブを嵌め込んだ状態で前記キャップを当該ケーブル保持部にねじ込む構造のケーブルグランドにおいて、
前記グランド本体の取付部に回止め溝が形成されているとともに、
前記グランド本体の取付部に嵌め込まれ、前記ロックナットと前記壁体との間に配置されるワッシャを備え、
前記ワッシャには、前記グランド本体を前記壁体に取り付けた状態で、前記取付部の回止め溝に嵌り込む第１舌片と、前記壁体の取付孔の周縁に形成された切欠きに嵌り込む第２舌片とが形成されていることを特徴とするケーブルグランド。
【発明の詳細な説明】
【技術分野】
【０００１】
本発明は、ケーブルを保持するケーブルグランドに関する。
【背景技術】
【０００２】
電気機器にケーブルを接続する際、電気機器の筐体等に取り付けたケーブルグランドを介してケーブルを保持する技術が公知である（例えば、特許文献１参照）。
【０００３】
ケーブルグランドとしては、例えば、ケーブルの挿通が可能な筒状の部材であって鍔部及びその鍔部を挟んだ両側に雄ねじが形成された筒状のグランド本体、このグランド本体に嵌め込まれるスリーブ、グランド本体の一方側（スリーブが嵌め込まれる側）の雄ねじにねじ込まれるキャップ（袋ナット）、及びグランド本体を壁体に固定するロックナットなどを備えたものがある。
【０００４】
このようなケーブルグランドでは、グランド本体の他方側の雄ねじを、電気機器の筐体の壁体（以下、電気機器の壁体ともいう）に形成された取付孔に壁体の表側から差し込んだ状態で、その他方側の雄ねじにロックナットを壁体の裏側（筐体の内側）からねじ込むことによってグランド本体を壁体に取り付ける。その後に、スリーブの挿通孔にケーブルを挿通した状態で当該スリーブをグランド本体に嵌め込み、グランド本体の一方側の雄ねじにキャップをねじ込んでスリーブを締め付ける。このようにしてキャップにてスリーブを締め付けることにより、スリーブが縮径方向に変形し、スリーブの挿通孔の内周面とケーブルの外周面とが密着する。これによって、電気機器の筐体内に水、油、塵、埃などが侵入するのを防止することができるとともに、ケーブル自体をしっかりと保持・固定することができる。
【０００５】
なお、上記ケーブルグランドにおいて、グランド本体の鍔部は例えば略六角形状に形成されており、スパナ等の工具を掛けることができる。
【先行技術文献】
【特許文献】
【０００６】
【特許文献１】特開２００７−３７３６４号公報
【発明の概要】
【発明が解決しようとする課題】
【０００７】
ところで、上記構造のケーブルグランドにあっては、壁体に取り付けたグランド本体にキャップをねじ込む際に、例えば、キャップの締め付け力が大きい場合、グランド本体が回転してしまい、グランド本体及びロックナットが緩むことがある。また、キャップをグランド本体に締め付けた後に、キャップを緩める際にグランド本体及びロックナットが緩むことがある。そして、グランド本体やロックナットが緩んだままの状態で作業を終了すると、グランド本体の鍔部と取付側の壁体との間に配置するパッキンの面圧（鍔部がパッキンを押圧する面圧）を確保することができなくなり、ケーブルグランドの気密・水密性が低下して漏水等が生じるおそれがある。
【０００８】
本発明はそのような実情を考慮してなされたもので、グランド本体、スリーブを締め付けるキャップ、及びグランド本体を壁体に固定するロックナットなどを備えたケーブルグランドにおいて、グランド本体及びロックナットの緩みを防止することが可能な構造を提供することを目的とする。
【課題を解決するための手段】
【０００９】
本発明は、ケーブルの挿通が可能な筒状の部材であって、鍔部とその鍔部を挟んだ両側にそれぞれ設けられた円筒形状のケーブル保持部及び取付部とを有し、それらケーブル保持部及び取付部の外周面にそれぞれ雄ねじが形成されたグランド本体と、ケーブルを通す挿通孔を有し、前記ケーブル保持部に嵌め込まれるスリーブと、前記ケーブル保持部の雄ねじに噛み合う雌ねじが形成されたキャップと、前記取付部の雄ねじに噛み合う雌ねじが形成されたロックナットとを備え、前記グランド本体の取付部を、当該ケーブルグランドを取り付ける壁体に形成された取付孔に差し込んだ状態で、その取付部に前記ロックナットをねじ込むことにより前記グランド本体を前記壁体に取り付け、前記グランド本体のケーブル保持部に前記スリーブを嵌め込んだ状態で前記キャップを当該ケーブル保持部にねじ込む構造のケーブルグランドを前提としている。
【００１０】
そして、このようなケーブルグランドにおいて、前記グランド本体の取付部に回止め溝が形成されているとともに、前記グランド本体の取付部に嵌め込まれ、前記ロックナットと前記壁体との間に配置されるワッシャを備え、前記ワッシャには、前記グランド本体を前記壁体に取り付けた状態で、前記取付部の回止め溝に嵌り込む第１舌片と、前記壁体の取付孔の周縁に形成された切欠きに嵌り込む第２舌片とが形成されていることを特徴としている。
【００１１】
本発明のケーブルグランドによれば、グランド本体の取付部に嵌め込まれ、電気機器などの壁体とロックナットとの間に配置されるワッシャを備え、そのワッシャに第１舌片と第２舌片とを設けている。そして、グランド本体を壁体に取り付けた状態で、ワッシャの第１舌片がグランド本体の回止め溝に嵌り込むとともに、ワッシャの第２舌片が壁体の切欠きに嵌り込む構造としているので、グランド本体が回転しようとしても、第１舌片が回止め溝に係止し、第２舌片が切欠きに係止することにより、グランド本体の回転が規制される。これによって、キャップをグランド本体にねじ込む際やキャップを緩める際に、グランド本体及びロックナットが緩むことを防止することができる。
【発明の効果】
【００１２】
本発明によれば、グランド本体、スリーブを締め付けるキャップ、及びグランド本体を壁体に固定するロックナットなどを備えたケーブルグランドにおいて、グランド本体及びロックナットの緩みを防止することができる。
【図面の簡単な説明】
【００１３】
【図１】本発明のケーブルグランドの一例を示す縦断面図である。
【図２】図１のケーブルグランドの分解斜視図である。
【図３】図３（Ａ）は図１及び図２のケーブルグランドに用いるワッシャの正面図、図３（Ｂ）はそのワッシャの縦断面図である。
【図４】図１のケーブルグランドにおいてワッシャの一部を折り曲げた状態を示す縦断面図である。
【発明を実施するための形態】
【００１４】
以下、本発明の実施形態を図面に基づいて説明する。
【００１５】
図１は本発明のケーブルグランドの一例を示す縦断面図、図２はそのケーブルグランドの分解斜視図である。図３（Ａ）はケーブルグランドに用いるワッシャの正面図、図３（Ｂ）はそのワッシャの縦断面図である。
【００１６】
本実施形態のケーブルグランド１は、グランド本体２、スリーブ３、キャップ４、パッキン５、ロックナット６、及びワッシャ７などを備えている。
【００１７】
グランド本体２は、略円筒形状の部材（例えば樹脂製）であって、軸方向（円筒の軸方向）の中央部に略六角形状の鍔部２１が形成されており、この鍔部２１を挟んだ両側（軸方向の両側）に、それぞれ円筒形状のケーブル保持部２２と取付部２３とが形成されている。ケーブル保持部２２の外周面には雄ねじ２２ａが形成されている。また、取付部２３の外周面には雄ねじ２３ａが形成されている。取付部２３は、後述する電気機器の筺体の壁体１００（以下、電気機器の壁体１００ともいう）に形成された取付孔１０１に差し込まれる。
【００１８】
なお、以下の説明では、グランド本体２のケーブル保持部２２側（ケーブルグランド１のキャップ４側）を前方側という。
【００１９】
また、グランド本体２には、ケーブル挿通用の挿通孔（貫通孔）２４が軸方向に沿って形成されている。挿通孔２４は段付き孔であって、当該挿通孔２４の軸方向の途中には、後述するスリーブ３の端部（小径側の端部）の位置を規制するための円すいテーパ面２４ｂが形成されており、この円すいテーパ面２４ｂの前方側がケーブル保持孔２４ａとなっている。ケーブル保持孔２４ａにはスリーブ３が小径側から嵌め込まれる。
【００２０】
さらに、グランド本体２には、取付部２３の外周面に、軸方向に沿って延びる１条の回止め溝２３ｂが形成されている。この回止め溝２３ｂの深さは、雄ねじ２３ａのねじ山の高さよりも大きい。また、回止め溝２３ｂの幅は、後述するワッシャ７の第１舌片７１が嵌り込むことが可能な大きさとなっている。
【００２１】
スリーブ３は、外周面が円すいテーパ形状の筒体（例えばゴム製）であって、ケーブルＣを通す挿通孔３１が軸方向に沿って形成されている。スリーブ３の軸方向の長さは、スリーブ３がグランド本体２のケーブル保持孔２４ａに嵌まり込んだ状態で、グランド本体２の端部（前方側の端部）から所定量突出する長さとなっている。
【００２２】
キャップ４は、外周面が略六角形状の周壁部４１と、その周壁部４１の前方側を覆う前壁部４２とを有する袋ナット状の部材（例えば樹脂製）である。周壁部４１の内周面には、グランド本体２のケーブル保持部２２の雄ねじ２２ａに噛み合う雌ねじ４１ａが形成されている。前壁部４２の中央には、ケーブルＣを通すための円形孔４２ａが形成されている。また、前壁部４２には、グランド本体２に嵌め込まれたスリーブ３を内方（縮径方向）に向けて押圧するための円すいテーパ面４２ｂが形成されている。この円すいテーパ面４２ｂの中心軸は雌ねじ４１ａの中心軸に一致している。
【００２３】
パッキン５は、円形孔５ａを有する円環状の部材（例えばゴム製）であって、グランド本体２の鍔部２１と電気機器の壁体１００との間に挟み込まれる（図１参照）。パッキン５の内径（円形孔５ａの直径）は、グランド本体２の取付部２３の雄ねじ２３ａの外径と略等しい。
【００２４】
ロックナット６は、グランド本体２を電気機器の壁体１００に固定するためのナット（例えば樹脂製）であって、グランド本体２の取付部２３の雄ねじ２３ａに噛み合う雌ねじ６ａが形成されている。
【００２５】
ワッシャ７は、円形孔７ａを有する円環状の部材（例えば板金製）であって、グランド本体２（及びロックナット６）の緩みを防止するために用いられる。ワッシャ７の内径（円形孔７ａの直径）はグランド本体２の取付部２３の雄ねじ２３ａの外径よりも所定量だけ大きい。ワッシャ７の円形孔７ａの周縁には、第１舌片７１と第２舌片７２とが設けられている。
【００２６】
これら第１舌片７１と第２舌片７２とは、円形孔７ａの中心に対して１８０°回転対称となる位置（円形孔７ａの中心を通る直線上となる位置）に配置されている。第１舌片７１及び第２舌片７２はワッシャ７から一方向（前方側）に突出している。第１舌片７１は、円形孔７ａの周縁に沿う円周よりも径方向の内側に位置しており（図３参照）、図１に示す取付状態で、グランド本体２の取付部２３の回止め溝２３ｂに嵌り込むことが可能である。第２舌片７２は、円形孔７ａの周縁に沿う円周上に相当する位置に配置されており（図３参照）、図１に示す取付状態で、後述する電気機器の壁体１００に形成された切欠き１０２に嵌り込むことが可能である。
【００２７】
そして、ケーブルグランド１を取り付ける電気機器の壁体１００には、図１及び図２に示すように、円形の取付孔１０１が形成されている。取付孔１０１の直径は、グランド本体２の取付部２３の雄ねじ２３ａの外径よりも所定量だけ大きい（例えば、取付孔１０１の直径とワッシャ７の円形孔７ａの直径とは略等しい）。さらに、取付孔１０１の周縁の１箇所（取付孔１０１の最下部となる位置）には切欠き１０２が形成されている。切欠き１０２は、ワッシャ７の第２舌片７２が嵌り込むことが可能な形状寸法となっている。
【００２８】
次に、以上の構造のケーブルグランド１の取付手順について説明する。
【００２９】
（Ｓ１）まず、スリーブ３及びキャップ４をグランド本体２から分解しておく。
【００３０】
（Ｓ２）グランド本体２の取付部２３にパッキン５を嵌め込み、その取付部２３を電気機器の壁体１００の取付孔１０１に当該壁体１００の表側（電子機器の筐体の表側）から差し込む。この差し込み時において取付部２３の回止め溝２３ｂを真上に向けた状態としておく。また、グランド本体２の鍔部２１と壁体１００との間にパッキン５を挟んだ状態としておく。
【００３１】
（Ｓ３）壁体１００の取付孔１０１に差し込んだグランド本体２の取付部２３（壁体１００の裏側に突出している部分）に、ワッシャ７を、その第１舌片７１及び第２舌片７２を前方側（壁体１００側）に向けた状態で壁体１００の裏側から嵌め込む。このとき、ワッシャ７の第１舌片７１を取付部２３の回止め溝２３ｂに嵌め込むとともに、第２舌片７２を取付孔１０１の切欠き１０２に合わせる（もしくは嵌め込む）。
【００３２】
この状態で、壁体１００の裏側（電子機器の筐体の内側）からロックナット６を取付部２３の雄ねじ２３ａ（壁体１００の裏側に突出している部分の雄ねじ２３ａ）にねじ込むことによって、グランド本体２を壁体１００に取り付ける（固定する）。この取付状態では、壁体１００とロックナット６との間にワッシャ７が挟み込まれ、そのワッシャ７の第１舌片７１と第２舌片７２とがそれぞれがグランド本体２の回止め溝２３ｂと壁体１００の切欠き１０２とに嵌り込んだ状態となる。これにより、グランド本体２の壁体１００に対する回転が規制される。
【００３３】
（Ｓ４）以上のグランド本体２の取付が完了した後、スリーブ３及びキャップ４にケーブルＣを通した状態で、スリーブ３をグランド本体２のケーブル保持孔２４ａに嵌め込み、次いでキャップ４の雌ねじ４１ａをグランド本体２のケーブル保持部２２の雄ねじ２２ａに合わせてキャップ４をグランド本体２にねじ込んでゆく。このキャップ４のねじ込み過程において、スリーブ３の端部（大径側の端部）が、キャップ４の円すいテーパ面４２ｂによって押圧されて当該スリーブ３が縮径方向に変形する。そして、キャップ４のねじ込み（締め付け）が完了した状態で、スリーブ３の挿通孔３１の内周面とケーブルＣの外周面とが密着する。これによって、電気機器の筐体内に塵や埃などが侵入するのを防止することができるとともに、ケーブル自体をしっかりと保持・固定することができる。
【００３４】
＜効果＞
以上説明したように、本実施形態のケーブルグランド１によれば、グランド本体２の取付部２３に嵌め込まれ、電気機器の壁体１００とロックナット６との間に配置されるワッシャ７を備え、そのワッシャ７に第１舌片７１と第２舌片７２とを設けている。そして、グランド本体２を壁体１００に取り付けた状態で、ワッシャ７の第１舌片７１がグランド本体２の回止め溝２３ｂに嵌り込むとともに、ワッシャ７の第２舌片７２が壁体１００の切欠き１０２に嵌り込む構造としているので、グランド本体２が回転しようとしても、第１舌片７１が回止め溝２３ｂに係止し、第２舌片７２が切欠き１０２に係止することにより、グランド本体２の回転が規制される。これによって、グランド本体２の鍔部２１をスパナ等の工具にて固定しない状態で、グランド本体２にキャップ４をねじ込む場合であっても、グランド本体２及びロックナット６が緩むことを防止することができる。また、キャップ４を緩める作業を、グランド本体２の鍔部２１を固定しない状態で行う場合にも、グランド本体２及びロックナット６が緩むことを防止することができる。
【００３５】
したがって、本実施形態のケーブルグランド１では、グランド本体２及びロックナット６が緩むことによって発生する不具合、例えば、パッキン５の面圧（グランド本体２の鍔部２１がパッキン５を押圧する面圧）が減少することにより生じる漏水等のおそれがなくなるので、ケーブルグランド１の気密・液密性を確保することができる。
【００３６】
しかも、本実施形態のケーブルグランド１にあっては、グランド本体２及びロックナット６の緩みを防止するワッシャ７を壁体１００の裏側（電子機器の筐体の内側）に配置しているので、ワッシャ７が外側から見えることがなく、外観の見栄えが悪くなることもない。
【００３７】
以上の本実施形態において、図４に示すように、グランド本体２を電気機器の壁体１００に取り付けた後に、ワッシャ７の外周部の一部７ｂ（ロックナット６の外周平面（スパナ等の工具を掛ける面）に対応する部分）をドライバ等の工具を用いて折り曲げておいてもよい。
【００３８】
このようにワッシャ７の一部７ｂを折り曲げておくことにより、その折り曲げ部のロックナット６への係止によってロックナット６の回転を規制することができる。これによりロックナット６の緩みをより確実に防止することができる。
【００３９】
−他の実施形態−
なお、今回開示した実施形態は、すべての点で例示であって、限定的な解釈の根拠となるものではない。したがって、本発明の技術的範囲は、上記した実施形態のみによって解釈されるものではなく、特許請求の範囲の記載に基づいて画定される。また、本発明の技術的範囲には、特許請求の範囲と均等の意味及び範囲内でのすべての変更が含まれる。
【００４０】
例えば、以上の実施形態では、ワッシャ７の第１舌片７１及び第２舌片７２の数をそれぞれ１つとし、グランド本体２の回止め溝２３ｂ及び取付孔１０１の切欠き１０２の数もそれぞれ１つとしているが、本発明はこれに限られることなく、ワッシャ７の第１舌片及び第２舌片のいずれか一方または両方の数を複数としてもよい。この場合、それら第１舌片及び第２舌片の各数に合わせてグランド本体２に形成する回止め溝の数及び取付孔１０１に形成する切欠きの数及び位置を決定すればよい。
【産業上の利用可能性】
【００４１】
本発明は、電気機器等にケーブルを保持する際に使用されるケーブルグランドに有効に利用することができる。
【符号の説明】
【００４２】
１  ケーブルグランド
２  グランド本体
２１  鍔部
２２  ケーブル保持部
２２ａ  雄ねじ
２３  取付部
２３ａ  雄ねじ
２３ｂ  回止め溝
２４  挿通孔
２４ａ  ケーブル保持孔
３  スリーブ
３１  挿通孔
４  キャップ
４１ａ  雌ねじ
５  パッキン
６  ロックナット
６ａ  雌ねじ
７  ワッシャ
７ａ  円形孔
７１  第１舌片
７２  第２舌片
１００  壁体
１０１  取付孔
１０２  切欠き
【図１】
2017225255.tif 000003
【図２】
2017225255.tif 000004
【図３】
2017225255.tif 000005
【図４】
2017225255.tif 000006
【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
ケーブルの挿通が可能な筒状の部材であって、鍔部とその鍔部を挟んだ両側にそれぞれ設けられた円筒形状のケーブル保持部及び取付部とを有し、それらケーブル保持部及び取付部の外周面にそれぞれ雄ねじが形成されたグランド本体と、
前記ケーブルを通す挿通孔を有し、前記ケーブル保持部に嵌め込まれるスリーブと、
前記ケーブル保持部の雄ねじに噛み合う雌ねじが形成されたキャップと、
前記取付部の雄ねじに噛み合う雌ねじが形成されたロックナットと、を備え、
前記グランド本体の取付部を、ケーブルグランドを取り付ける壁体に形成された取付孔に差し込んだ状態で、その取付部に前記ロックナットをねじ込むことにより前記グランド本体を前記壁体に取り付け、前記グランド本体のケーブル保持部に前記スリーブを嵌め込んだ状態で前記キャップを当該ケーブル保持部にねじ込む構造のケーブルグランドにおいて、
前記グランド本体の取付部に回止め溝が形成されているとともに、
前記グランド本体の取付部に嵌め込まれ、前記ロックナットと前記壁体との間に配置されるワッシャを備え、
前記ワッシャには、前記グランド本体を前記壁体に取り付けた状態で、前記取付部の回止め溝に嵌り込む第１舌片と、前記壁体の取付孔の周縁に形成された切欠きに嵌り込む第２舌片とが形成されていることを特徴とするケーブルグランド。
【手続補正２】
【補正対象書類名】明細書
【補正対象項目名】０００９
【補正方法】変更
【補正の内容】
【０００９】
本発明は、ケーブルの挿通が可能な筒状の部材であって、鍔部とその鍔部を挟んだ両側にそれぞれ設けられた円筒形状のケーブル保持部及び取付部とを有し、それらケーブル保持部及び取付部の外周面にそれぞれ雄ねじが形成されたグランド本体と、ケーブルを通す挿通孔を有し、前記ケーブル保持部に嵌め込まれるスリーブと、前記ケーブル保持部の雄ねじに噛み合う雌ねじが形成されたキャップと、前記取付部の雄ねじに噛み合う雌ねじが形成されたロックナットとを備え、前記グランド本体の取付部を、ケーブルグランドを取り付ける壁体に形成された取付孔に差し込んだ状態で、その取付部に前記ロックナットをねじ込むことにより前記グランド本体を前記壁体に取り付け、前記グランド本体のケーブル保持部に前記スリーブを嵌め込んだ状態で前記キャップを当該ケーブル保持部にねじ込む構造のケーブルグランドを前提としている。